(57)【要約】【課題】この発明は、傘自体にスタンドに取り付けるための部材を装着することなく、自由に傘を取り替えることができるようにし、傘のデザインバリエーションを利用できるようにすることを課題とするものである。【解決手段】この発明は、電気スタンドの支柱１に固定される取付具３と、この取付具３に連結された柱部材４と、この柱部材４に連結され傘を保持する傘保持部５とを備えた傘支持具と、前記傘保持部５に保持されるを傘６とを組み合わせて傘支持装置を構成し、傘のワイヤを不要とするものである。【選択図】 図３
2008146996.tif 000002
【特許請求の範囲】
【請求項１】
電気スタンドの支柱に固定される取付部と、この取付具に連結された柱部材と、この柱部材に連結され傘を係止保持する傘保持部とを備えた電気スタンドの傘支持具と、基部に前記傘保持部との係止部を備えた傘とを組み合わせた電気スタンドの傘支持装置
【請求項２】
取付部はクリップとした、請求項１記載の電気スタンドの傘支持装置
【請求項３】
傘保持部は、傘の基部に形成された係止部に係止するリングとした、請求項１記載の電気スタンドの傘支持装置具
【請求項４】
傘の係止部は、傘の基部に形成した環状溝とした、請求項１ないし３の何れかに記載の傘支持装置
【発明の詳細な説明】
【技術分野】
【０００１】
この発明は、電気スタンドの傘を容易に変更することができる、電気スタンドの傘保持具に関するものである。
【背景技術】
【０００２】
従来、電気スタンドの傘は、傘に取り付けられたワイヤによって電球に固定されるものであった。他方、傘については傘に種々のデザインを施して変化を付けるようにすることが提案されている。
【特許文献１】特開２０００−２６０２１０
【特許文献２】特開２００１−３５７７０７
【０００３】
しかしながら、傘を電気スタンドに取り付けるためには、傘に電球に固定するためのワイヤを装着する必要がある。そのために、以下に傘にデザインを施しても各傘毎にワイヤを装着しなければならないので一つのスタンドで種々のデザインの傘を手軽に交換して使用することはできない。
【発明の開示】
【発明が解決しようとする課題】
【０００４】
この発明は、傘自体にスタンドに取り付けるための部材を装着することなく、自由に傘を取り替えることができるようにし、傘のデザインバリエーションを利用できるようにすることを課題とするものである。
【課題を解決するための手段】
【０００５】
この発明は、電気スタンドの支柱に固定される取付部と、この取付具に連結された柱部材と、この柱部材に連結され傘を保持する傘保持部とを備えた傘支持具と、前記傘保持部に保持されるを傘とを組み合わせて傘支持装置を構成し、傘のワイヤを不要とするものである。
前記取付部はクリップその他電気スタンドの支柱に固定できるものであればよい。また、傘保持部は、傘の基部に形成された係止部に係止して傘を保持できる構成であればよい。前記取付部にワイヤの一端を固定し、このワイヤでリングを形成し、このリングに傘に形成した係止部を係止させる構成が簡易である。このリングに変えて透明な板として、この板を前記取付部に固定した柱に固定してもよい。
傘の係止部は、保持部がリングであれば係止溝とすることが好ましいが、板である場合は板に係止する鍔とするなど、係止部の構造に対応して適宜選択することとなる。
【発明の効果】
【０００６】
この発明によれば、傘自体に電気スタンドに取り付けるためのワイヤその他の構造を設ける必要がない。傘には傘保持部に係止するための構造があればよく、そのための構造は傘の基部に係止溝を設ければ足りる。したがって、傘の構造を簡易化することができ、種々の傘を自由に交換して使用することができる。
【発明を実施するための最良の形態】
【０００７】
図１において電気スタンドの支柱１の上端に電球２などの光源が装着されている。前記支柱１又は電球２のソケット１０（図２）を着脱自在に狭持するクリップ３に、前記電球２の上方に至る補助柱４としてのワイヤの一端が固定されており、補助柱４の他端は水平なリングとしてあり、このリングが傘保持部５を構成してある。
他方傘６は、紙製で表面に模様が施されており、基部は内側に折り返されて環状の係止溝７が形成してある。
【０００８】
前記クリップ３を支柱１に嵌めて固定し、傘保持部５に傘６の係止溝７を係止すると、電気スタンドに傘を装着することができる。そして、この傘６は格別の取付部材を備えていない。したがって、任意の傘を自由に交換して傘取付部に装着して使用することができる。加えて、クリップ３の固定位置（高さ）は自由に変更できるので、電球２と傘６との距離を自由に選択することができる。
また、傘６が保形成の弱い素材である場合は、同じく係止溝７を備えた透明の保形傘８（例えば透明合成樹脂シート製）を傘保持部５に装着し、その上に傘６を装着することもできる（図４）。その場合、傘６は保形傘８で保持されるので、環状溝７を設けなくともよい。
なお、上記において、傘６，あるいは保形傘８は傘保持部５に係止できればよいのであるから、その係止部が環状である必要はない。
【０００９】
図５はペンダントタイプの照明器具に使用したものである。
天井から吊り下げられたソケット１０にクリップ３が狭持されており、このクリップ３に補助柱４を介して取り付けられたリング５保形傘８の係止溝７が係止し、保形傘８の上に傘６が重ねてある。
この実施形態の場合、始に傘を電球2を通過させた後にクリップ３を固定する。
【００１０】
図６は、基部の口径が大きい傘に対応する構成であって、クリップ３に上方に向けて外側へ広がる補助柱４が取り付けてあり、この補助柱３の上端に大径の傘保持部５が一体的に設けてある。この傘保持部５に保形傘８が係止し，その上に傘６が重ねられている。
【００１１】
図７は別の実施形態を示すものであり、傘を上向きに取り付けたものである。
すなわち、傘６の基部に傘を上向きにしたときに下側に溝ができる係止溝９を形成し、この係止溝９を保持部５に係止することにより、傘６を電球２の下側に配設したスタンドとしてある。
なお、この実施形態においては、補助柱４と傘６の周縁部とが緩衝しないよう、傘６に縦溝を形成したり、補助柱を傘６の周縁を避けるように屈曲させるなどの態様とする。
【００１２】
図８は上記図１ないし図６に示す実施形態の傘６を複数積み重ねた状態を示すものでる。この図に示されるように、傘は複数個嵌り合うことができ、コンパクトな収納が可能である。
【００１３】
図９は傘保持部５にピン１５を突設すると共に傘6及び保形傘８にこのピン１５が貫通する孔１６を形成したものであり、傘を装着するときにはピン１５を孔１６に通し、ピン１５の先端にシリコンリングなどの留め具１７を取り付ける。
このような構成とすることにより、傘の脱落やずれを確実に防止することができる。
【００１４】
図１０は傘保持部５の別の実施形態を示すものである。図１０（Ａ）はリボン状の素材（金属、合成樹脂又は紙）リングを構成したもの、図１０（Ｂ）は平面視三角形としたもの、図１０（Ｃ）は平面視方形としたものである。そして、各上面を透明板で閉塞することもできる。そして、この透明板に種々の模様を表すことにより、天井に光模様を投影することもできる。
【００１５】
この発明によれば、傘は傘保持部に係止されているのみである。すなわち、傘に電気スタンドに取り付けるためのワイヤなどは不要である。したがって、傘の構造が極めて簡易であり、複数の傘を積み重ねてコンパクトに保管することができる。そして、異なる模様を表した傘、素材の異なる傘、形状の異なる傘を複数用意し、使用状況に合わせて傘を交換することができる。
【産業上の利用可能性】
【００１６】
この発明は、傘の構造を簡易化し、その交換を容易にすることにより電気スタンドの醸し出す雰囲気を変化させることを可能とするものであって、産業上の利用可能性を有するものである。
【図面の簡単な説明】
【００１７】
【図１】この発明実施形態の傘を外した状態の斜視図
【図２】同じくクリップをソケットに固定した状態の斜視図
【図３】傘を取り付けた状態の断面図
【図４】クリップをソケットに固定し、補助傘を取り付けた状態の断面図
【図５】ペンダントタイプとした断面図
【図６】傘保持部を大径とした断面図
【図７】傘を上向きに取り付けた状態の断面図
【図８】傘を積み重ねた状態の断面図
【図９】傘固定用のピンを設けた傘保持部の斜視図
【図１０】孔を設けた傘上部の斜視図
【図１１】ピンで傘を固定した状態の断面図
【図１２】傘保持部をリング状とした斜視図
【図１３】三角形とした斜視図
【図１４】方形とした斜視図
【符号の説明】
【００１８】
１    支柱
２    電球
３    クリップ
４    補助柱
５    傘保持部
６    傘
７    係止溝
８    保形傘
９    係止溝
１０  ソケット
【図１】
2008146996.tif 000003
【図２】
2008146996.tif 000004
【図３】
2008146996.tif 000005
【図４】
2008146996.tif 000006
【図５】
2008146996.tif 000007
【図６】
2008146996.tif 000008
【図７】
2008146996.tif 000009
【図８】
2008146996.tif 000010
【図９】
2008146996.tif 000011
【図１０】
2008146996.tif 000012
【図１１】
2008146996.tif 000013
【図１２】
2008146996.tif 000014
【図１３】
2008146996.tif 000015
【図１４】
2008146996.tif 000016
【手続補正書】
【提出日】平成18年12月21日(2006.12.21)
【手続補正１】
【補正対象書類名】明細書
【補正対象項目名】００１４
【補正方法】変更
【補正の内容】
【００１４】
図１２ないし図１４は傘保持部５の別の実施形態を示すものである。図１２はリボン状の素材（金属、合成樹脂又は紙）リングを構成したもの、図１３は平面視三角形としたもの、図１４は平面視方形としたものである。そして、各上面を透明板で閉塞することもできる。そして、この透明板に種々の模様を表すことにより、天井に光模様を投影することもできる。
【手続補正２】
【補正対象書類名】図面
【補正対象項目名】図１
【補正方法】変更
【補正の内容】
【図１】
2008146996.tif 000017
【手続補正３】
【補正対象書類名】図面
【補正対象項目名】図２
【補正方法】変更
【補正の内容】
【図２】
2008146996.tif 000018
【手続補正４】
【補正対象書類名】図面
【補正対象項目名】図３
【補正方法】変更
【補正の内容】
【図３】
2008146996.tif 000019
【手続補正５】
【補正対象書類名】図面
【補正対象項目名】図４
【補正方法】変更
【補正の内容】
【図４】
2008146996.tif 000020
【手続補正６】
【補正対象書類名】図面
【補正対象項目名】図５
【補正方法】変更
【補正の内容】
【図５】
2008146996.tif 000021
【手続補正７】
【補正対象書類名】図面
【補正対象項目名】図６
【補正方法】変更
【補正の内容】
【図６】
2008146996.tif 000022
【手続補正８】
【補正対象書類名】図面
【補正対象項目名】図７
【補正方法】変更
【補正の内容】
【図７】
2008146996.tif 000023